(57)【要約】【課題】たとえば紙ロールを安定的に且つ安全に搬送することができ、且つ紙ロールを載置した状態で効率的にストックすることのできる台車。【解決手段】搬送すべき物品（１０）を載置するためのキャスター（１ａ）付きの台車本体（１）と、台車本体に対して着脱自在に取り付けられた把手部材（２：２ａ，２ｂ）とを備えている。把手部材は、台車本体を移動させるときの第１位置（第１突起部３の位置）と台車本体を移動させないときの第２位置（第２突起部５の位置）との間で取付け位置の切り換えが可能に構成されている。【選択図】　図１
2004074919.tif 000002
【特許請求の範囲】
【請求項１】
搬送すべき物品を載置するためのキャスター付きの台車本体と、
前記台車本体に対して着脱自在に取り付けられた把手部材とを備え、
前記把手部材は、前記台車本体を移動させるときの第１位置と前記台車本体を移動させないときの第２位置との間で取付け位置の切り換えが可能に構成されていることを特徴とする台車。
【請求項２】
前記把手部材の前記第１位置への取付けを係止するためのロック部材をさらに備えていることを特徴とする請求項１に記載の台車。
【請求項３】
前記把手部材は、前記第２位置に取り付けられた状態において前記台車本体から外側へ実質的に突出しないように構成されていることを特徴とする請求項１または２に記載の台車。
【請求項４】
前記把手部材は、前記台車本体から突出した突起部と係合するように筒状の断面を有することを特徴とする請求項１乃至３のいずれか１項に記載の台車。
【請求項５】
前記台車本体には、載置された紙ロールを安定的に保持するための溝部が形成されていることを特徴とする請求項１乃至４のいずれか１項に記載の台車。
【発明の詳細な説明】
【０００１】
【発明の属する技術分野】
本発明は、台車に関し、特に紙ロールを搬送するための紙ロール用台車に関するものである。
【０００２】
【従来の技術】
従来、たとえば重量が２００ｋｇにも及ぶような非常に大きくて重い紙ロールを搬送するための台車が知られている。この種の紙ロール用台車では、紙ロールを安定的に且つ安全に搬送することができるように、把手の一部が台車本体から外側へ大きく突出するように構成されている。
【０００３】
【発明が解決しようとする課題】
その結果、従来の紙ロール用台車では、紙ロールを載置した状態で多数の台車をストックする場合、台車本体から外側へ突出した把手部分が邪魔になり、収納スペースを効率的に利用することができないという不都合があった。
【０００４】
本発明は、前述の課題に鑑みてなされたものであり、たとえば紙ロールを安定的に且つ安全に搬送することができ、且つ紙ロールを載置した状態で効率的にストックすることのできる台車を提供することを目的とする。
【０００５】
【課題を解決するための手段】
前記課題を解決するために、本発明では、搬送すべき物品を載置するためのキャスター付きの台車本体と、
前記台車本体に対して着脱自在に取り付けられた把手部材とを備え、
前記把手部材は、前記台車本体を移動させるときの第１位置と前記台車本体を移動させないときの第２位置との間で取付け位置の切り換えが可能に構成されていることを特徴とする台車を提供する。
【０００６】
本発明の好ましい態様によれば、前記把手部材の前記第１位置への取付けを係止するためのロック部材をさらに備えている。また、前記把手部材は、前記第２位置に取り付けられた状態において前記台車本体から外側へ実質的に突出しないように構成されていることが好ましい。さらに、前記把手部材は、前記台車本体から突出した突起部と係合するように筒状の断面を有することが好ましい。また、前記台車本体には、載置された紙ロールを安定的に保持するための溝部が形成されていることが好ましい。
【０００７】
【発明の実施の形態】
本発明の実施形態を、添付図面に基づいて説明する。
図１は、本発明の実施形態にかかる台車の構成を概略的に示す図である。また、図２は、本実施形態における台車本体の上面図である。さらに、図３は、本実施形態における把手部材のロック機構を説明する図である。本実施形態では、たとえば重量が２００ｋｇにも及ぶような非常に大きくて重い紙ロールを搬送するための紙ロール用台車に対して本発明を適用している。
【０００８】
図１および図２を参照すると、本実施形態の台車は、紙ロール１０を載置するための全体的に矩形状の台車本体１を備えている。台車本体１の４隅には、キャスター１ａがそれぞれ取り付けられている。また、台車本体１の中央には、載置された紙ロール１０を安定的に保持するための溝部１ｂが形成されている。溝部１ｂは、全体的に矩形状の外形を有し、紙ロール１０の外側面に当接するように規定された円筒面状の底面を有する。
【０００９】
また、本実施形態の台車は、台車本体１に対して着脱自在に取り付けられた把手部材２を備えている。把手部材２は、「くの字」状に折れ曲がった一対のポスト部材２ａと、ポスト部材２ａの上端部を連結する直線状のバー部材２ｂとにより一体的に構成されている。具体的には、一対のポスト部材２ａは、円形の中空断面を有するパイプ部材であって、その下端部は円形開口部を構成している。
【００１０】
本実施形態では、台車本体１を移動させるときに一対のポスト部材２ａの円形開口部を係合させるための一対の円柱状の突起部３が台車本体１に植設されている。一対のポスト部材２ａを第１突起部３に係合させて把手部材２を台車本体１に取り付けた場合、図１に示すように、把手部材２の上半分が台車本体１から外側へ突出した状態になる。なお、台車本体１には、ポスト部材２ａの突起部３への取付けを係止（ロック）するためのロック部材（トグルクランプ）４が設けられている。
【００１１】
ロック部材４は、図３に示すように、本体４ａに対して回動自在なレバー４ａの先端を所定の位置まで押し上げると、本体４ａから水平方向に押し出された棒状部材４ｃの先端がポスト部材２ａを突起部３に対して強い力で押圧する。その結果、ポスト部材２ａが突起部３から引き抜けなくなり、ポスト部材２ａの突起部３への取付けが係止される。逆に、レバー４ａの先端を水平位置まで押し下げると、本体４ａから押し出された棒状部材４ｃの先端がポスト部材２ａから離間し、ポスト部材２ａを突起部３から引き抜くことができる。
【００１２】
また、本実施形態では、台車本体１を移動させないときに一対のポスト部材２ａの円形開口部を係合させるための一対の円柱状の突起部５が台車本体１に植設されている。一対のポスト部材２ａを第２突起部５に係合させて把手部材２を台車本体１に取り付けた場合、図１において破線で示すように、把手部材２が台車本体１から外側へほとんど突出しない状態になる。
【００１３】
以上のように、本実施形態では、把手部材２が台車本体１を移動させるときの第１位置（第１突起部３の位置）と台車本体１を移動させないときの第２位置（第２突起部５の位置）との間で取付け位置の切り換えが可能に構成されている。すなわち、一対のポスト部材２ａを第１突起部３に係合させて紙ロール１０を載置した状態で台車本体１を移動させる（紙ロール１０を搬送する）場合、把手部材２の上半分が台車本体１から外側へ突出した状態になるので、搬送者の足元が台車本体１の下の隙間に入り込むことなく安全に、且つ搬送者の力を把手部材２のバー部材２ｂに容易に且つ安定的に伝えることができる。
【００１４】
一方、一対のポスト部材２ａを第２突起部５に係合させて紙ロール１０を載置した状態で台車本体１をストックする（台車本体１を移動させない）場合、把手部材２が台車本体１から外側へほとんど突出しない状態になるので、紙ロール１０を載置した状態で台車本体１を効率的に（収納スペースを効率的に利用して）ストックすることができる。すなわち、本実施形態の台車では、紙ロール１０を安定的に且つ安全に搬送することができ、且つ紙ロール１０を載置した状態で効率的にストックすることができる。
【００１５】
また、本実施形態では、図４に示すように、紙ロール１０を載置しない状態で台車本体１を積み重ねてストックすることができる。この場合、把手部材２を台車本体１から取り外す必要があるが、この取外し操作は上述したようにロック部材４による係止を解除しポスト部材２ａを突起部３から引き抜くことにより容易に行うことができる。
【００１６】
なお、本実施形態では、紙ロールを搬送するための紙ロール用台車に対して本発明を適用しているが、これに限定されることなく、他の適当な物品を搬送するための一般的な台車に対して本発明を適用することもできる。
【００１７】
【発明の効果】
以上説明したように、本発明の台車では、把手部材が台車本体を移動させるときの第１位置と台車本体を移動させないときの第２位置との間で取付け位置の切り換えが可能に構成されているので、たとえば紙ロールを安定的に且つ安全に搬送することができ、且つ紙ロールを載置した状態で効率的にストックすることができる。
【図面の簡単な説明】
【図１】本発明の実施形態にかかる台車の構成を概略的に示す図である。
【図２】本実施形態における台車本体の上面図である。
【図３】本実施形態における把手部材のロック機構を説明する図である。
【図４】物品を載置しない状態で台車本体を積み重ねてストックする様子を示す図である。
【符号の説明】
１　　台車本体
１ａ　キャスター
１ｂ　溝部
２　把手部材
２ａ　ポスト部材
２ｂ　バー部材
３　第１突起部
４　ロック部材
４ａ　ロック部材の本体
４ｂ　レバー
４ｃ　棒状部材
５　第２突起部
１０　紙ロール
【図１】
2004074919.tif 000003
【図２】
2004074919.tif 000004
【図３】
2004074919.tif 000005
【図４】
2004074919.tif 000006